(57)【要約】【課題】作業者がメンテナンス作業を安全に行うことができ、かつ、製造コストの増大を防ぐことができる空気調和機を提供する。【解決手段】メンテナンスパネル２は、一端が本体１の下部に回動自在に取り付けられ、他端が本体１に解除可能なプッシュラッチ７によって係止されている。メンテナンスパネル２の他端が本体１から離れるように回動するときには、直動式ダンパ３がメンテナンスパネル２の回動に制動を掛ける。メンテナンスパネル２には着脱可能にフィルタ４を搭載している。【選択図】図１
2006023029.tif 000002
【特許請求の範囲】
【請求項１】
本体（１）と、
上記本体（１）の下部に一端が回動自在に取り付けられていると共に、上記本体（１）に他端が解除可能な係止手段（７）によって係止されたメンテナンスパネル（２）と、
上記他端が上記本体（１）から離れるように回動する上記メンテナンスパネル（２）の回動に制動を掛けるダンパ（３）と、
上記メンテナンスパネル（２）に着脱可能に搭載されたフィルタ（４）と
を備えたことを特徴とする空気調和機。
【請求項２】
請求項１に記載の空気調和機において、
上記係止手段（７）はワンタッチ操作で係止を解除できることを特徴とする空気調和機。
【発明の詳細な説明】
【技術分野】
【０００１】
本発明は、天井等に設置される空気調和機に関する。
【背景技術】
【０００２】
従来、空気調和機としては、特許文献１（特開２００１−１３３００６号公報）に記載されたものがある。この空気調和機は、天井裏に設置されたケーシングと、このケーシング内に収容されたフィルタユニットとを備えている。そして、上記フィルタユニットはケーシングにテレスコ式の伸縮機構によって昇降可能に支持されている。
【０００３】
上記構成の空気調和機によれば、作業者は、フック棒を用いてフィルタユニットを引き下ろした後、フィルタユニットのメンテナンス作業を行う。このように、上記作業者は、フィルタユニットを低所でメンテナンスできるから、フィルタユニットを安全にメンテナンスできる。
【０００４】
また、上記空気調和機では、作業者がフィルタユニットを引き下ろすとき、昇降機構がフィルタユニットの重量に略等しい力でフィルタユニットを上方へ引っ張っている。これにより、上記作業者は、フィルタユニットをゆっくり引き下ろせるので、フィルタユニットをより安全にメンテナンスできる。
【０００５】
しかしながら、上記従来の空気調和機では、作業者がフィルタユニットを大きな力で引っ張ると、フィルタユニットが勢いよく下降してしまって、作業者に怪我を負わせる可能性がある。
【０００６】
また、上記フィルタユニットの重量に略等しい力でフィルタユニットを上方へ引っ張る機構を設けているため、フィルタユニットを昇降させるための構造が複雑になって、製造コストが増大してしまう。
【特許文献１】特開２００１−１３３００６号公報
【発明の開示】
【発明が解決しようとする課題】
【０００７】
そこで、本発明の課題は、作業者がメンテナンス作業を安全に行うことができ、かつ、製造コストの増大を防ぐことができる空気調和機を提供することにある。
【課題を解決するための手段】
【０００８】
上記課題を解決するため、本発明の空気調和機は、
本体と、
上記本体の下部に一端が回動自在に取り付けられていると共に、上記本体に他端が解除可能な係止手段によって係止されたメンテナンスパネルと、
上記他端が上記本体から離れるように回動する上記メンテナンスパネルの回動に制動を掛けるダンパと、
上記メンテナンスパネルに着脱可能に搭載されたフィルタと
を備えたことを特徴としている。
【０００９】
上記構成の空気調和機によれば、上記フィルタのメンテナンスを行う場合、作業者は、係止手段を棒等を用いて操作して、メンテナンスパネルと本体との係止を解除する。そうすると、上記メンテナンスパネルは一端を中心に重力で揺動して、メンテナンスパネルの他端が本体から離脱して、一端で本体に吊り下げられた状態になる。このとき、上記ダンパがメンテナンスパネルの揺動に制動を掛けるので、メンテナンスパネルはゆっくり揺動する。
【００１０】
その結果、上記メンテナンスパネルが勢いよく揺動して作業者に衝突するのを防げるから、作業者はフィルタのメンテナンス作業を安全に行うことができる。
【００１１】
上記メンテナンスパネルは一端で本体に吊り下げられた状態になっているから、作業者は比較的低い位置でメンテナンスパネルからフィルタを取り外して、フィルタの補修を安全かつ容易に行うことができる。
【００１２】
また、上記作業者は比較的低い位置で作業ができて、背の高い脚立に昇らなくてもよいから、脚立を他の人に押さえてもらう必要がない。したがって、上記メンテナンス作業に要する人の人数を減らすことができる。
【００１３】
上記フィルタの復旧は次のように行う。
【００１４】
上記メンテナンスパネルにフィルタを取り付けて、メンテナンスパネルを一端を中心に回動させて、メンテナンスパネルを本体に係止させる。
【００１５】
上記発明では、ダンパと係止手段とを設けるだけだから、メンテナンスパネルの開閉構造が複雑にならない。したがって、製造コストの増大を防ぐことができる。
【００１６】
一実施形態の空気調和機では、上記係止手段はワンタッチ操作で係止を解除できる。
【００１７】
上記実施形態の空気調和機によれば、上記メンテナンスパネルと本体との係止は長い棒等を用いてワンタッチ操作で解除できるからから、フィルタのメンテナンス作業にかかる手間を減らすことができる。
【発明の効果】
【００１８】
本発明の空気調和機は、ダンパがメンテナンスパネルの重力による揺動に制動を掛けることによって、メンテナンスパネルがゆっくり揺動するから、メンテナンスパネルが勢いよく揺動して作業者等にぶつかることがなく、作業者のメンテナンス時の安全性を高めることができる。
【００１９】
また、上記ダンパと係止手段とを設けるだけなので、メンテナンスパネルの開閉構造が複雑にならず、製造コストの増大を防ぐことができる。
【００２０】
一実施形態の空気調和機は、上記係止手段による係止をワンタッチ操作で解除できるから、高所にあるメンテナンスパネルを長い棒等を用いて係止手段を操作して簡単に下降させることができる。
【発明を実施するための最良の形態】
【００２１】
以下、本発明の空気調和機を図示の実施の形態により詳細に説明する。
【００２２】
図１に、本発明の一実施の形態の空気調和機の模式断面図を示す。
【００２３】
上記空気調和機は、本体１と、この本体１の下部に一端を回動軸５を介して取り付けられたメンテナンスパネル２と、本体１から離れるように回動するメンテナンスパネル２に制動を掛けるダンパの一例としての直動式ダンパ３と、メンテナンスパネル２の上面に着脱可能に搭載されたフィルタ４とを備えている。
【００２４】
上記メンテナンスパネル２は、回動軸５を中心に回動して、二点鎖線で示すように位置できる。上記メンテナンスパネル２の一方の端部には連結用金具６を設けている。そして、上記メンテナンスパネル２の他方の端部には、係止手段の一例としてのプッシュラッチ７を取り付けている。また、上記メンテナンスパネル２の他方の端部には、フィルタ４を係止するフィルタストッパ８を回動自在に設けている。
【００２５】
上記直動式ダンパ３は、液体または気体またはそれらの混合物が封入されたシリンダ１１と、このシリンダ１１内に一方の端部が挿入され、シリンダ１１内を直線往復運動するピストンロッド１２とを有している。上記シリンダ１１のプッシュラッチ７側の端部は本体１に回動自在に連結されている。一方、上記ピストンロッド１２の他方の端部（シリンダ１１とは反対側の端部）は連結用金具６に回動自在に連結されている。つまり、上記直動式ダンパ３の一方の端部は本体１に回動自在に連結され、かつ、直動式ダンパ３の他方の端部は連結用金具６に回動自在に連結されている。また、上記直動式ダンパ３は周知のもので、そのピストンロッド１２の図示しないピストンの両側の室は、絞りを有する通路と、チェック弁を有する通路とで連通して、ピストンロッド１２が収縮するときには、チェック弁が閉じて、絞りの作用によって大きな抵抗がかかり、ピストンロッド１２が伸張するときには、チェック弁が開放して、抵抗がかからないようになっている。
【００２６】
図２に、上記メンテナンスパネル２およびフィルタ３を図１とは異なる面で切った模式断面図を示す。
【００２７】
上記メンテナンスパネル２の上面には、フィルタ４を案内するフィルタレール９を設けている。このフィルタレール９とメンテナンスパネル２の上面との間に、フィルタ４の側部に設けられたフランジ４ａが位置している。
【００２８】
図３に、上記プッシュラッチ７の模式断面図を示す。
【００２９】
上記プッシュラッチ７は、ケース２１と、このケース２１内に収容されたコイルバネ２２と、ケース２１にガイドされて上下方向のみに移動できるボタン２３と、横方向のみに移動できるようにケース２１に案内されて本体１の係止部１ａ（図１参照）に先端部の下面２４ｂで係止するラチェット２４とで構成されている。上記コイルバネ２２はラチェット２４をケース２１から突出する側へ付勢している。さらに、上記ラチェット２４には上下に貫通する貫通穴２５が設けられている。この貫通穴２５のコイルバネ２２側の壁面すなわち傾斜面２５ａはラチェット２４の上面および下面に対して傾斜し、貫通穴２５の傾斜面２５ａ以外の壁面はラチェット２４の上面および下面に対して略垂直になっている。上記貫通穴２５内にはボタン２３の上端部が挿入されている。このボタン２３の上端部の傾斜面２３ａは、ラチェット２４の傾斜面２５ａに平行となるように傾斜している。
【００３０】
このボタン２３を押すと、ボタン２３の傾斜面２３ａとラチェット２４の傾斜面２５ａとのカム作用によって、ラチェット２４はコイルバネ２２の付勢力に抗して後退する。そして、上記ボタン２３を離すと、コイルバネ２２の付勢力によって、ラチェット２４がケース２１から突出して、傾斜面２３ａ，２５ａのカム作用によって、ボタン２３がケース２１から突出する。なお、上記ボタン２３およびラチェット２４には、ケース２１から抜け落ちないようにするための図示しない係合部を設けている。
【００３１】
上記構成の空気調和機のフィルタ４は次のようにしてメンテナンスされる。
【００３２】
まず、作業者は、ボタン２３を例えば押さえ棒で押して、ラチェット２４の先端部の下面２４ｂと本体１の係止部１ａとの係止を解除する。そうすると、上記メンテナンスパネル２は回動軸５を中心に重力で揺動して、メンテナンスパネル２のプッシュラッチ７側の端が本体１から離脱して、図１の二点鎖線で示すように、回動軸５で本体１に吊り下げられた状態になる。このとき、上記直動式ダンパ３がメンテナンスパネル２の揺動に制動を掛けるので、メンテナンスパネル２はゆっくり揺動する。また、上記メンテナンスパネル２が図１の二点鎖線に示すような状態になっても、フィルタ４はフィルタストッパ８で係止されているので、メンテナンスパネル２から落下しない。
【００３３】
次に、上記作業者は、比較的背の低い台（例えば、高さが０．５ｍ程度の台）に昇り、図４に示すフィルタストッパ８のつまみ８ａを掴み、フィルタストッパ８を回動させる。これにより、上記フィルタストッパ８とフィルタ４との係止が解除される。
【００３４】
次に、上記作業者は、図４の矢印で示す方向に、メンテナンスパネル２からフィルタ４を引き抜く。
【００３５】
最後に、上記作業者は、フィルタ４を持って台から降りて、フィルタ４の補修を床で行う。
【００３６】
上述のように、直動式ダンパ３がメンテナンスパネル２の揺動に制動を掛けることによって、メンテナンスパネル２がゆっくり揺動するから、メンテナンスパネル２と作業者との衝突を防げる。したがって、作業者はフィルタ４のメンテナンス作業を安全に行うことができる。
【００３７】
また、上記メンテナンスパネル２は図１の二点鎖線で示すような状態になるから、作業者は比較的低い位置でメンテナンスパネル２からフィルタ４を取り外して、フィルタ４の補修を安全かつ容易に行うことができる。
【００３８】
また、上記作業者は比較的低い位置で作業ができて、背の高い脚立（高さが例えば１．５ｍ程度の脚立）に昇らなくてもよいから、脚立を他の人に押さえてもらう必要がない。したがって、上記メンテナンス作業に要する人の人数を減らすことができる。
【００３９】
また、上記メンテナンスパネル２は重力により自動的に揺動するから、作業者はメンテナンスパネル２に力を掛けなくてもよい。したがって、上記メンテナンス作業によって生じる疲労を減らすことができる。
【００４０】
また、上記メンテナンスパネルと本体との係合はボタン２３を押すだけで解除できるから、メンテナンス作業にかかる手間をさらに減らすことができる。
【００４１】
上記フィルタ４の復旧は次のようにして行われる。
【００４２】
まず、上記メンテナンスパネル２にフィルタ４を取り付け、フィルタストッパ８を回動させ、フィルタストッパ８をフィルタ４に係止させる。
【００４３】
次に、上記メンテナンスパネル２のプッシュラッチ７側の端を例えば押さえ棒で上方に押し上げ、メンテナンスパネル２を回動軸５を中心にして回動させる。このとき、上記直動式ダンパ３がメンテナンスパネル２の回動に制動を掛けないので、作業者はメンテナンスパネル２をスムーズに回動させることができる。
【００４４】
引き続き、上記メンテナンスパネル２をさらに回動させると、ラチェット２４の先端部が本体１の係止部１ａに接触し、傾斜面２４ａと係止部１ａとのカム作用により、ラチェット２４はコイルバネ２２の付勢力に抗して後退する。そうすると、上記ラチェット２４は係止部１ａを越えた後、コイルバネ２２の付勢力によって、ケース２１から突出して、先端部の下面２４ｂが係止部１ａに係止する。
【００４５】
上述のように、上記メンテナンスパネル２のプッシュラッチ７側の端を例えば押さえ棒で上方に押し上げるだけで、ラチェット２４の先端部の下面２４ｂが係止部１ａに係止するから、フィルタ４の復旧を簡単に行うことができる。
【００４６】
また、上記空気調和機は、直動式ダンパ３と係止手段とを設けるだけだから、メンテナンスパネル２の開閉構造が複雑にならない。したがって、製造コストの増大を防ぐことができる。
【００４７】
上記実施形態では、直動式ダンパ３を用いていたが、図５に示すようなロータ式ダンパ１０３を用いてもよい。このロータ式ダンパ１０３を用いた場合も、上記実施形態と同様の効果を得られると共に、上記実施形態よりもメンテナンスパネル２の開閉構造を簡単にすることができる。また、上記連結用金具６を用いなくてもいいから、製造コストを削減できる。
【００４８】
上記ロータ式ダンパ１０３も周知のもので、メンテナンスパネル２を開くときにはメンテナンスパネル２に制動を掛け、メンテナンスパネル２を閉めるときにはメンテナンスパネル２に制動を掛けないようになっている。
【図面の簡単な説明】
【００４９】
【図１】図１は本発明の一実施の形態の空気調和機の模式断面図である。
【図２】図２は上記空気調和機のメンテナンスパネルおよびフィルタの模式断面図である。
【図３】図３は上記空気調和機のプッシュラッチの模式断面図である。
【図４】図４は上記フィルタの要部を拡大した模式図である。
【図５】図５は上記空気調和機の変形例の模式断面図である。
【符号の説明】
【００５０】
１  本体
２  メンテナンスパネル
３  直動式衝撃吸収ダンパ
４  フィルタ
７  プッシュラッチ
１１  シリンダ
１２  ピストンロッド１２
２１  ケース
２２  コイルバネ
２３  ボタン
２４  ラチェット
１０３  ロータ式ダンパ
【図１】
2006023029.tif 000003
【図２】
2006023029.tif 000004
【図３】
2006023029.tif 000005
【図４】
2006023029.tif 000006
【図５】
2006023029.tif 000007